(57)【要約】【課題】本発明は、飲料物に含まれる菌を簡易な構成で効率的に殺菌することができるウォーターサーバーを提供することを目的とする。【解決手段】ウォーターサーバー１１は、飲料水２を貯留する貯留空間３１を有するボトル３と、ボトル３から取得された飲料水２を一時的に貯蔵して必要に応じて取り出す本体部５と、紫外線の出射部７１を貯留空間３１に向けて配置された紫外線ＬＥＤ７とを備えている。【選択図】図１
2017210256.tif 000002
【特許請求の範囲】
【請求項１】
飲料物を貯留する貯留空間を有するボトルと、
前記ボトルから取得された前記飲料物を一時的に貯蔵して必要に応じて取り出す本体部と、
紫外線の出射部を前記貯留空間に向けて配置された紫外線発光ダイオードと
を備えるウォーターサーバー。
【請求項２】
前記ボトルと前記本体部とを接続する接続部を備え、
前記紫外線発光ダイオードは、前記接続部に配置されている
請求項１記載のウォーターサーバー。
【請求項３】
前記接続部は、前記ボトルから前記本体部に前記飲料物を送出する送出接続管を有し、
前記紫外線発光ダイオードは、前記ボトルの側に向けられる前記送出接続管の先端部に配置されている
請求項２記載のウォーターサーバー。
【請求項４】
前記紫外線発光ダイオードは、前記貯留空間に配置されている
請求項１から３までのいずれか一項に記載のウォーターサーバー。
【請求項５】
前記紫外線発光ダイオードは、前記ボトルの外表面の側に配置されている
請求項１から３までのいずれか一項に記載のウォーターサーバー。
【請求項６】
前記紫外線発光ダイオードは、前記外表面に配置されている
請求項５記載のウォーターサーバー。
【請求項７】
前記本体部は、前記外表面の側に前記紫外線発光ダイオードを配置させる配置部材を有する
請求項５記載のウォーターサーバー。
【請求項８】
前記紫外線発光ダイオードは、前記貯留空間に貯留された飲料物よりも前記貯留空間に形成された空気層の近くに配置されている
請求項５から７までのいずれか一項に記載のウォーターサーバー。
【請求項９】
前記紫外線発光ダイオードの配置位置は、変更可能である
請求項１から８までのいずれか一項に記載のウォーターサーバー。
【請求項１０】
前記本体部は、前記紫外線発光ダイオードの発光を制御する制御部を有し、
前記制御部は、前記貯留空間に残留する残留菌の数が所定値以上になる前に前記紫外線発光ダイオードを発光させる
請求項１から９までのいずれか一項に記載のウォーターサーバー。
【請求項１１】
前記本体部は、空気を導入する導入口を有し、
前記制御部は、前記導入口を通して前記貯留空間に前記空気を導入した場合に前記紫外線発光ダイオードを発光させる
請求項１０記載のウォーターサーバー。
【請求項１２】
前記制御部は、前記ボトルを前記本体部に設置した場合に前記紫外線発光ダイオードを発光させる
請求項１０又は１１に記載のウォーターサーバー。
【請求項１３】
前記紫外線発光ダイオードは、２３０ｎｍから３００ｎｍの範囲の波長の紫外線を発光する
請求項１から１２までのいずれか一項に記載のウォーターサーバー。
【発明の詳細な説明】
【技術分野】
【０００１】
本発明は、飲料物を一時的に貯留して必要に応じて取り出すことができるウォーターサーバーに関する。
【背景技術】
【０００２】
飲料水供給元から運搬されて飲料水が充填されたボトルを付け替えることによって飲料水を補充するウォーターサーバーが知られている（例えば特許文献１）。このようなウォーターサーバーは、清浄な飲料水を提供するために、貯留している飲料水に含まれる菌を殺菌できるように構成されている。
【先行技術文献】
【特許文献】
【０００３】
【特許文献１】特開２０１４−６１９４６号公報
【発明の概要】
【発明が解決しようとする課題】
【０００４】
本発明は、飲料物に含まれる菌を簡易な構成で効率的に殺菌することができるウォーターサーバーを提供することにある。
【課題を解決するための手段】
【０００５】
上記目的を達成するために、本発明の一態様によるウォーターサーバーは、飲料物を貯留する貯留空間を有するボトルと、前記ボトルから取得された前記飲料物を一時的に貯蔵して必要に応じて取り出す本体部と、紫外線の出射部を前記貯留空間に向けて配置された紫外線発光ダイオードとを備えることを特徴とする。
【発明の効果】
【０００６】
本発明の一態様によれば、飲料物に含まれる菌を簡易な構成で効率的に殺菌することができる。
【図面の簡単な説明】
【０００７】
【図１】本発明の第１実施形態によるウォーターサーバー１１の概略構成を模式的に示す図である。
【図２】本発明の第２実施形態によるウォーターサーバー１２の概略構成を模式的に示す図である。
【図３】本発明の第３実施形態によるウォーターサーバー１３の概略構成を模式的に示す図であって、図３（ａ）は、ボトル３を本体部５に設置する前の状態を示し、図３（ｂ）は、ボトル３を本体部５に設置した後の状態を示している。
【図４】本発明の第４実施形態によるウォーターサーバー１４の概略構成を模式的に示す図である。
【図５】本発明の第５実施形態によるウォーターサーバー１５の概略構成を模式的に示す図である。
【図６】本発明の第６実施形態によるウォーターサーバー１６の概略構成を模式的に示す図である。
【図７】本発明の第１から第６実施形態によるウォーターサーバー１１〜１６に用いられる制御系を説明するブロック図である。
【発明を実施するための形態】
【０００８】
ウォーターサーバーに設けられるボトルの貯留空間には菌が十分少ない飲料物が装填されてウォーターサーバーの設置箇所に届けられる。しかしながら、ウォーターサーバーから取り出される飲料物には、ボトルの貯留空間への装填時に飲料物に元々含まれていた菌数よりも多い数の菌が存在することが起こり得る。このため、ウォーターサーバーには、様々な殺菌装置が装備されていることが好ましい。ウォーターサーバーから取り出された飲料物に元々含まれていた菌よりも多くの菌が含まれてしまう一因として、ウォーターサーバーから取り出された飲料物の容積を補填するために、ボトルの貯留空間などに空気を導入することが挙げられる。つまり、導入される空気に含まれる菌がウォーターサーバーにおいて菌を増加させる根源となる。
【０００９】
そこで、本発明は、この根源に着眼し、ボトルに導入されて菌を内在している空気自体及びボトルの貯留空間に存在する空気と飲料物との界面に殺菌のための紫外線を効果的に照射するように構成されている。これにより、本発明は、従来のウォーターサーバーに設けられた殺菌装置よりも、より簡便にかつ効果的に殺菌を実施することができる。以下、本発明を実施するための実施形態を説明しつつ、実施形態が従来のウォーターサーバーよりも優れていることもあわせて説明する。
【００１０】
飲料物は、飲料水などの広く飲料に値する液体又は流動体様を有している。例えば飲料物は、いわゆる水と呼ばれるＨ２Ｏが大半の成分を占め人間の口から体内に導入される物質や、この物質以外にもより広い範疇の物質であって構わない。飲料物は、紫外線が照射されることによって大きく変性して有害物になったり、本来求められていた価値を大きく損じてしまう成分になったりすることがない限り、本発明に適用することができる。
【００１１】
〔第１実施形態〕
本発明の第１実施形態によるウォーターサーバーについて図１を用いて説明する。
図１に示すように、本実施形態によるウォーターサーバー１１は、飲料水（飲料物の一例）２を貯留する貯留空間３１を有するボトル３と、ボトル３から取得された飲料水２を一時的に貯蔵して必要に応じて取り出す本体部５と、紫外線の出射部７１を貯留空間３１に向けて配置された紫外線発光ダイオード（紫外線ＬＥＤ）７とを備えている。また、ウォーターサーバー１１は、ボトル３と本体部５とを接続する接続部９を備え、紫外線ＬＥＤ７は、接続部９に配置されている。なお、図１及び後述する図２から図６では、出射部から出射された紫外線が複数の放射状の直線で表されている。
【００１２】
ボトル３は、本体部５に対して交換できる交換式の形態を有している。ボトル３の貯留空間３１には、例えば衛生管理された工場において十分に殺菌された飲料水２が充填される。また、ボトル３は、飲料水２が充填される前に十分に殺菌される。このため、未開封のボトル３の貯留空間３１には、十分に殺菌された飲料水２が充填されている。ボトル３は、本体部５が設置され飲料水２が消費される場所に未開封の状態で輸送され、使用済みのボトル３と交換される。これにより、ウォーターサーバー１１は、本体部５に設置されたボトル３の貯留空間３１に充填された飲料水２が尽きた後もボトル３を交換すれば継続して使用することができる。
【００１３】
飲料水２は、本体部５に取り付けられる際はボトル３に満タン状態で充填されている。しかしながら、ウォーターサーバー１１から冷飲料水２５１や温飲料水２５２（詳細は後述）が取り出される度に飲料水２が減少する。これにより、貯留空間３１には、飲料水２が存在する領域と、空気が存在する領域とが形成される。貯留空間３１に形成される空気が存在する領域は空気層４となる。ボトル３は、本体部５の上方に配置される。このため、ボトル３を本体部５に配置すると、飲料水２は自重により本体部５側に移動する。これにより、空気層４は、貯留空間３１において飲料水２の上方に形成される。
【００１４】
ボトル３は、飲料水２を貯留可能な貯留空間３１を有していれば種々の形状を有することができる。また、ボトル３は、紫外線が照射されることによって大きく変性して有害物になったり有害物を放出したり、本来求められていた価値を大きく損じてしまう成分になったりすることのない材料で形成されている。また、詳細は後述するが、ウォーターサーバー１１は、貯留空間３１に形成された空気層４に紫外線ＬＥＤ７が出射する紫外線を飲料水２を介して照射するようになっている。このため、ボトル３の大きさは、紫外線ＬＥＤ７が出射する紫外線が空気層４に十分に到達するように、少なくとも飲料水２の紫外線透過率に応じて規定される。例えば、ボトル３の大きさ（特に高さ方向の大きさ）は、飲料水２の紫外線透過率が高くなるほど線形状又はステップ状に大きくすることができ、飲料水２の紫外線透過率が低くなるほど線形状又はステップ状に小さくする必要がある。
【００１５】
図１に示すように、接続部９は、ボトル３から本体部５に飲料水２を送出する送出接続管９１を有している。送出接続管９１の一方の先端部を含む一部は、貯留空間３１に配置されている。紫外線ＬＥＤ７は、ボトル３の側に向けられる送出接続管９１の先端部に配置されている。すなわち、紫外線ＬＥＤ７は、貯留空間３１に配置された送出接続管９１の一方の先端部に配置されている。このため、紫外線ＬＥＤ７は、貯留空間３１に配置される。送出接続管９１は、例えば本体部５に取り付けられている。紫外線ＬＥＤ７は、送出接続管９１の一方の先端部に配置されることにより、本体部５のうちの空気層４に最も近い場所に配置される。さらに、紫外線ＬＥＤ７は、紫外線の出射部７１を空気層４に向けて配置されている。このように、ウォーターサーバー１１は、紫外線ＬＥＤ７の配置場所と出射部７１の向きを工夫するという簡易な構成により、紫外線ＬＥＤ７が出射する紫外線を最も効率よくかつ効果的に空気層４に照射できる。
【００１６】
送出接続管９１は、飲料水２をボトル３から本体部５に送水する送水部９１１と、貯留空間３１に導入される空気が流通する流通部９１２とを有している。送水部９１１は、本体部５に設けられた配管５６１に取り付けられている。なお、物理的な構成としては送水部９１１と流通路９１２はそれらの一部を同じ配管で兼用して構成することも可能である。
【００１７】
図１に示すように、本体部５は、貯留空間３１に送出される空気を導入する空気導入口５３と、空気導入口５３と送出接続管９１の流通部９１２とを接続する配管５３１とを有している。配管５３１は、本体部５の外部空間から空気導入口５３を介して導入された空気が流通する内部空間を有している。空気導入口５３と貯留空間３１とは、配管５３１の内部空間と流通部９１２とを介して連通されている。
【００１８】
空気導入口５３は、通常は閉状態となっている。空気導入口５３は、ウォーターサーバー１１から冷飲料水２５１を取水する冷水取水口５１ｄ（詳細は後述）及び温飲料水２５２を取水する温水取水口５２ｄ（詳細は後述）のいずれか一方が開状態になると開状態になる。空気導入口５３は所定量の空気を取り込むと閉状態となる。空気導入口５３から導入される空気の所定量は、冷水取水口５１ｄ及び温水取水口５２ｄのいずれか一方から取水された飲料水の容積に等しい。つまり、ウォーターサーバー１１は、取水された飲料水に等しい容積の空気を空気導入口５３から貯留空間３１に取り込むことによって、貯留空間３１に貯留されている飲料水２を自重によって送水部９１１から配管５６１に押し出すようになっている。
【００１９】
空気導入口５３、配管５３１の内部空間を流通した空気は、流通部９１２を通り送出接続管９１を逆行して貯留空間３１に導入される。貯留空間３１に導入された空気は、貯留空間３１の上部に移動して空気層４を形成する。貯留空間３１に貯留されている飲料水２は、空気層４に圧迫されて送水部９１１から本体部５に送水される。空気層４の体積は、ウォーターサーバー１１から取水される飲料水の量が増加して貯留空間３１に貯留される飲料水２が減少するほど大きくなる。なお、図１及び後述する図２から図６では、ボトル３に空気が導入されたことによって飲料水２に生じる気泡が３つの円形で表されている。
【００２０】
図１に示すように、本体部５は、配管５６１に接続されてボトル３から送水された飲料水２を貯留飲料水２５６として一旦貯留するバッファ貯留部５６を有している。配管５６１の内部空間は、送出接続管９１の送水部９１１及び貯留飲料水２５６が貯留されるバッファ貯留部５６の貯留空間と連通している。これにより、送出接続管９１の送水部９１１から送水されて配管５６１の内部空間を流通した飲料水２は、バッファ貯留部５６の貯留空間に貯留飲料水２５６として貯留されることができる。
【００２１】
図１に示すように、本体部５は、バッファ貯留部５６に貯留された貯留飲料水２５６を冷却して冷飲料水２５１を生成する冷水生成部５１を有している。冷水生成部５１は、バッファ貯留部５６から送水された貯留飲料水２５６を冷却する冷却装置５１ｂと、冷却装置５１ｂが冷却した貯留飲料水２５６を冷飲料水２５１として貯蔵する冷水貯蔵部５１ａとを有している。冷水貯蔵部５１ａとバッファ貯留部５６は、配管５６２で接続されている。バッファ貯留部５６の貯留空間と、冷飲料水２５１が貯蔵される冷水貯蔵部５１ａの貯蔵空間とは、配管５６２の内部空間で連通されている。このため、冷水生成部５１は、バッファ貯留部５６の貯留空間から送水されて配管５６２の内部空間を流通した貯留飲料水２５６を冷却装置５１ｂで冷却した後に、冷水貯蔵部５１ａの貯蔵空間に冷飲料水２５１として貯留する。
【００２２】
また、冷水生成部５１は、冷飲料水２５１を本体部５の外部空間に取水する冷水取水口５１ｄと、冷水貯蔵部５１ａと冷水取水口５１ｄとを接続する配管５１ｃとを有している。冷水貯蔵部５１ａの貯蔵空間と、冷飲料水２５１の出口となる冷水取水口５１ｄの取水口とは、配管５１ｃの内部空間で連通されている。このため、冷水貯蔵部５１ａの貯蔵空間から送水されて配管５１ｃの内部空間を流通した冷飲料水２５１は、冷水取水口５１ｄの取水口を介して本体部５の外部空間に排出されることができる。冷水貯蔵部５１ａには、冷水取水口５１ｄから取水された冷飲料水２５１と同量の貯留飲料水２５６がバッファ貯留部５６から送水される。これにより、ウォーターサーバー１１は、ほぼ一定量の冷飲料水２５１を冷水貯蔵部５１ａに溜めておくことができる。
【００２３】
図１に示すように、本体部５は、バッファ貯留部５６に貯留された貯留飲料水２５６を加熱して温飲料水２５２を生成する温水生成部５２を有している。温水生成部５２は、バッファ貯留部５６から送水された貯留飲料水２５６を加熱する加熱装置５２ｂと、加熱装置５２ｂが加熱した貯留飲料水２５６を温飲料水２５２として貯蔵する温水貯蔵部５２ａとを有している。温水貯蔵部５２ａとバッファ貯留部５６は、配管５６３で接続されている。バッファ貯留部５６の貯留空間と、温飲料水２５２が貯蔵される温水貯蔵部５２ａの貯蔵空間とは、配管５６３の内部空間で連通されている。このため、温水生成部５２は、バッファ貯留部５６の貯留空間から送水されて配管５６３の内部空間を流通した貯留飲料水２５６を加熱装置５２ｂで加熱した後に、温水貯蔵部５２ａの貯蔵空間に温飲料水２５２として貯留する。
【００２４】
また、温水生成部５２は、温飲料水２５２を本体部５の外部空間に取水される温水取水口５２ｄと、温水貯蔵部５２ａと温水取水口５２ｄとを接続する配管５２ｃとを有している。温水貯蔵部５２ａの貯蔵空間と、温飲料水２５２の出口となる温水取水口５２ｄの取水口とは、配管５２ｃの内部空間で連通されている。このため、温水貯蔵部５２ａの貯蔵空間から送水されて配管５２ｃの内部空間を流通した温飲料水２５２は、温水取水口５２ｄの取水口を介して本体部５の外部空間に排出されることができる。温水貯蔵部５２ａには、温水取水口５２ｄから取水された温飲料水２５２と同量の貯留飲料水２５６がバッファ貯留部５６から送水される。これにより、ウォーターサーバー１１は、ほぼ一定量の温飲料水２５２を温水貯蔵部５２ａに溜めておくことができる。
【００２５】
図１に示すように、本体部５は、バッファ貯留部５６と冷水貯蔵部５１ａとの間やバッファ貯留部５６と温水貯蔵部５２ａとの間など飲料水の流動を起こす送水ポンプ５７を有している。送水ポンプ５７は、特に重力に逆らった方向に飲料水を移動するために設けられる。
【００２６】
図１に示すように、本体部５は、紫外線ＬＥＤ７や本体部５に設けられた各構成要素を統括的に制御する制御部５５と、本体部５に設けられた各構成要素に電力を供給する電源５４とを有している。制御部５５や電源５４を含む制御系の詳細については後述する。
【００２７】
清浄に構成された本体部５やボトル３及び十分に殺菌された飲料水２をボトル３に充填したとしても、ウォーターサーバー１１が使用されることにより、冷水取水口５１ｄや温水取水口５２ｄから飲料水が取水されると、空気導入口５３から空気が導入される。この空気には菌が含まれているため、ウォーターサーバー１１は、その使用とともにボトル３の貯留空間３１に菌が混入されてしまうのを防止することは困難である。そこで、本発明の第１実施形態によるウォーターサーバー１１は、空気導入口５３を介してボトル３の貯留空間３１に導入された空気に混入する菌を殺菌したり混入した菌が増殖したりすることを効率よくかつ効果的に防止するように構成されている。
【００２８】
ボトル３の貯留空間３１に導入された空気に混入されている菌は、空気層４及び空気層４に接する飲料水２において増殖する。そこで、ウォーターサーバー１１は、小型かつ容易に安定して素早い点灯及び消灯が可能な紫外線ＬＥＤ７を用いて紫外線ＬＥＤ７が出射する紫外線によって貯留空間３１に存在する菌を殺菌するようになっている。
【００２９】
紫外線ＬＥＤ７は、ボトル３の貯留空間３１に形成された空気層４及び空気層４に接している飲料水２の表面部に紫外線を照射できるようになっている。これにより、ウォーターサーバー１１は、貯留空間３１に混入した菌を殺菌したりこの菌の増殖を抑制したりすることができる。ウォーターサーバー１１は、空気導入口５３を介して空気とともに混入した菌をボトル３において殺菌することができるので、本体部５側に菌が移動することを防止できる。具体的には、ウォーターサーバー１１は、貯留空間３１に混入した菌を空気層４や空気層４と飲料水２との界面における飲料水２の表面部において殺菌して本体部５側への菌の拡散を防止できる。
【００３０】
ところで、参考技術として、ウォーターサーバー内で作製される熱水をウォーターサーバーが備える各配管に循環させ、ボトルの貯留空間に導入された空気に混入する菌が原因となってこれらの各配管に付着する菌を殺菌する方法が知られている。しかしながら、この方法は、熱水を各配管に循環させる必要があり、ウォーターサーバーの構造が複雑化するという問題が生じる。また、熱水による配管殺菌によって配管に付着した菌を減らせたとしても、配管を通る飲料水そのものに菌が混入されていると、この菌が配管に再付着して配管内の菌が増殖してしまう可能性がある。このため、この方法では、熱水による配管の洗浄を定期的に繰り返して実施する必要があり、ウォーターサーバーの制御が複雑化するという問題が生じる。
【００３１】
また、参考技術として、柔らかい素材で形成されたボトルに飲料水を充填することにより、使用によって減少した飲料水が占めていたボトルの容積を空気等の導入によって代替する必要がない方法が知られている。しかしながら、この方法では、可塑性を有するボトルに貯留される飲料水に存在する菌の増殖を防止できても、ウォーターサーバーの本体部に設けられ可塑性を有さない貯留容器に一旦蓄えられる飲料水に存在する菌の増殖を防止できないという問題が生じる。
【００３２】
また、他の参考技術として、ウォーターサーバーがオゾン発生器を備え、飲料水が貯留される貯留容器内の空気のたまる部分にこのオゾン発生器からオゾンを流し込み、貯留容器内の空気や飲料水を殺菌するという方法が知られている。
【００３３】
また、他の参考技術として、ウォーターサーバーから飲料水が取水される際に導入される空気の主な導入路に対して空気導入口に設けられたフィルタ膜よって除菌等を行う方法が知られている。
【００３４】
また、他の参考技術として、ウォーターサーバーの本体部に設けられた容器であってボトルから取水した飲料水の冷却機能も兼ねる貯留容器の貯留空間に飲料水を一時貯留し、この貯留空間に紫外線を照射して飲料水に存在する菌を殺菌する方法が知られている。これにより、この参考技術では、ウォーターサーバーから飲料水を取水した後に本体部に入りこむ空気に起因する菌を殺菌するようになっている。
【００３５】
さらに、他の参考技術として、飲料水の取水口、すなわち飲料水の取出部の周辺に紫外線を照射するための機構を備え、この取水口に紫外線を照射することによって、この取水口から導入される空気に内在する菌によってこの取出部が汚染されることを防止する方法が知られている。
【００３６】
これらの他の参考技術は、ウォーターサーバーにおいて生じる菌を低減し、より安全な飲料水を提供することができるが、殺菌のために必要な構成が複雑化したり、より間接的な効果が発揮されるに留まったりするという問題を有している。
【００３７】
これに対し、本実施形態によるウォーターサーバー１１は、清浄に構成されたボトル３や十分に殺菌された飲料水２に菌が再混入した段階で殺菌することが可能である。このため、ウォーターサーバー１１は、本体部５側に菌を拡散させずに本体部５側での菌の増殖を防止できるので、上述の参考技術と比較して効果的な殺菌が可能となる。これにより、ウォーターサーバー１１は、上述の参考技術よりも少量の紫外線の照射によって飲料水２の殺菌が可能となる。
【００３８】
上述のとおり、送出接続管９１には、送水部９１１及び流通部９１２が設けられている。紫外線ＬＥＤ７は小型であるため、飲料水２が流入する送水部９１１の流入口と、流通部９１２を流通した空気が貯留空間３１に流出する流出口とを塞がないように送出接続管９１に配置できる。これにより、ウォーターサーバー１１は、ボトル３から本体部５への飲料水２の送水や空気導入口５３から貯留空間３１への空気の導入を妨げずに効果的に貯留空間３１の空気層４や飲料水２に内在する菌を殺菌できる。さらに、紫外線ＬＥＤ７は、小型であるため、送出接続管９１に配置されていても、本体部５に対するボトル３の着脱作業を阻害しない。
【００３９】
図１に示すウォーターサーバー１１は模式的に図示されている。このため、本体部５に設けられた各構成要素の形状、大きさ及び相対位置関係などは具体的に示されていない。ウォーターサーバー１１における殺菌効果をより向上させるためには、冷水取水口５１ｄ及び温水取水口５２ｄは、可能な限りボトル３の近くに設けられることが望ましい。また、空気導入口５３からボトル３まで空気が移動する経路（すなわち配管５３１）は可能な限り短く、かつ空気が移動する時間も可能な限り短いことが望ましい。
【００４０】
紫外線ＬＥＤ７は、２３０ｎｍから３００ｎｍの範囲の波長の紫外線を発光するように構成されている。また、紫外線ＬＥＤ７は、２３５ｎｍから２８５ｎｍの範囲の波長の紫外線を発光するように構成されていてもよい。これにより、ウォーターサーバー１１は、殺菌効果及びオゾン発生の抑制効果を両立することができる。また、ウォーターサーバー１１は、水銀灯ではなく紫外線ＬＥＤ７による単色光あるいは単色光の組み合わせによって殺菌が可能となる。このため、ウォーターサーバー１１は、仮に紫外線ＬＥＤ７から過剰な紫外線が照射されたとしても、水銀灯に含まれる１８５ｎｍの輝線を伴わない。このため、ウォーターサーバー１１は、殺菌時にオゾンの発生を伴わないので、オゾンによる飲料水２の味や匂いの劣化を防ぐことも可能となる。
【００４１】
以上説明したように、本実施形態によるウォーターサーバー１１は、飲料水２を貯留する貯留空間３１を有するボトル３と、ボトル３から取得された飲料水２を一時的に貯蔵して必要に応じて取り出す本体部５と、紫外線の出射部７１を貯留空間３１に向けて配置された紫外線ＬＥＤ７とを備えている。このような構成を備えたウォーターサーバー１１によれば、空気の導入に伴ってボトル３の貯留空間３１に混入した菌による汚染が開始される前、すなわち飲料水２に菌が増殖する前に殺菌することができる。これにより、ウォーターサーバー１１は、飲料水２に含まれる菌を簡易な構成で効率的に殺菌することができ、全体的により少量の紫外線の使用でウォーターサーバー１１全体にわたる菌の低減が可能となる。このことは、紫外線ＬＥＤ７の長寿命化につながるだけでなく、ウォーターサーバー１１の各部材が紫外線に照射される時間を低減することができ、該各部材の劣化を低減する、といった効果を奏する。
【００４２】
また、製造不良等によってボトル３の殺菌が十分でなく、飲料水２が菌汚染されていた場合であっても、ウォーターサーバー１１は、本体部５にボトル３を装着する際に飲料水２に紫外線ＬＥＤ７からの紫外線を照射して飲料水２に内在する菌を殺菌できる。これにより、ウォーターサーバー１１は、ボトル３から本体部５側に菌が拡散される前に殺菌できる。
【００４３】
さらに、ウォーターサーバー１１は、清浄な飲料水２を本体部５側に送水できる。このため、ウォーターサーバー１１は、本体部５に設けられた、バッファ貯留部５６の貯留空間、冷水貯蔵部５１ａ及び温水貯蔵部５２ａの貯蔵空間、冷水取水口５１ｄ、温水取水口５２ｄ並びに配管５６１，５６２，５６３，５１ｃ，５２ｃの内部空間に菌が付着したり増殖したりすることを防止できる。
【００４４】
したがって、本実施形態によれば、菌に対して安全かつ安価なウォーターサーバー１１を得ることができる。
【００４５】
〔第２実施形態〕
本発明の第２実施形態によるウォーターサーバーについて図２を用いて説明する。本実施形態によるウォーターサーバーは、紫外線ＬＥＤの配光を考慮して紫外線ＬＥＤが設けられている点に特徴を有している。なお、本実施形態及び後述する第３から第６実施形態において、上記第１実施形態によるウォーターサーバーと同一の作用・機能を奏する構成要素には、同一の符号を付してその説明は省略する。
【００４６】
紫外線ＬＥＤ７が出射する紫外線をボトル３の貯留空間３１に形成された空気層４などに効果的かつ効率的に照射するためには、紫外線ＬＥＤ７が出射する紫外線の配光を考慮するのが望ましい。図２に示すように、本実施形態によるウォーターサーバー１２は、所定の配光分布を有する紫外線ＬＥＤ７ａ及び紫外線ＬＥＤ７ｂを備えている。図２では、ウォーターサーバー１２は、２つの紫外線ＬＥＤ７ａ，７ｂを備えているが、３つ以上の紫外線ＬＥＤを備えていてもよい。
【００４７】
例えば、紫外線ＬＥＤ７ａは、出射部７１ａから出射される紫外線の強度が強い方を空気層４側に向けて配置される。同様に、紫外線ＬＥＤ７ｂは、出射部７１ｂから出射される紫外線の強度が強い方を空気層４側に向けて配置される。これにより、ウォーターサーバー１２は、紫外線ＬＥＤ７ａ，７ｂが出射部７１ａ，７１ｂから出射する紫外線を空気層４及び空気層４と飲料水２との界面近傍の飲料水２の表面部に広範囲に照射することができる。これにより、ウォーターサーバー１２は、ボトル３の貯留空間３１に存在する菌を効率的にかつ効果的に殺菌することができる。
【００４８】
また、図示は省略するが、紫外線ＬＥＤ７ａ，７ｂの背面側に反射板を設けてもよい。これにより、紫外線ＬＥＤ７ａ，７ｂの背面側に回り込む紫外線を反射して空気層４などに照射することができる。これにより、ウォーターサーバー１２は、空気層４などに照射される紫外線の量を向上させることができるので、ボトル３の貯留空間３１に存在する菌を効率的にかつ効果的に殺菌することができる。
【００４９】
以上説明したように、本実施形態によるウォーターサーバー１２は、紫外線ＬＥＤ７ａ，７ｂが有する配光分布を考慮してボトル３の貯留空間３１に形成された空気層４などに照射される紫外線を最適化できる。これにより、ウォーターサーバー１２は、少ない光量の紫外線によってボトル３の貯留空間３１に存在する菌を殺菌できるので、上記第１実施形態によるウォーターサーバー１１と同様の効果が得られる。さらに、ウォーターサーバー１２は、空気層４などに広範囲に紫外線を照射して、殺菌効率を向上させることができる。
【００５０】
〔第３実施形態〕
本発明の第３実施形態によるウォーターサーバーについて図３を用いて説明する。本実施形態によるウォーターサーバー１３は、紫外線ＬＥＤの配置位置を変更可能である点に特徴を有している。また、本実施形態によるウォーターサーバー１３は、送出接続管が可動するように構成されている点に特徴を有している。
【００５１】
図３に示すように、接続部８に設けられた送出接続管８１は、本体部５にボトル３が配置されていない場合（図３（ａ）参照）の方が、本体部５にボトル３が配置されている場合（図３（ｂ）参照）よりも本体部５から突き出しの程度が小さくなっている。このように、送出接続管８１は、本体部５に対してボトル３を着脱するときと、ボトル３の貯留空間３１に紫外線を照射するときとで、紫外線ＬＥＤ７のボトル３の貯留空間３１に対する相対的な位置を切り替えられる機構を有している。これにより、ウォーターサーバー１３は、ボトル３の着脱と、ボトル３の貯留空間３１への紫外線照射というそれぞれの目的に応じて好ましい場所に紫外線ＬＥＤ７を配置することができる。すなわち、ボトル３の着脱時には送出接続管８１が本体部５側に引っ込んで、ボトル３が本体部５から着脱されやすくなる。また、紫外線ＬＥＤ７の照射時には送出接続管８１がボトル３の貯留空間３１に入り込んで、紫外線ＬＥＤ７からの紫外線が空気層４及び空気層４と飲料水２との界面近傍の飲料水２の表面部をより照射しやすくなる。図３では、ウォーターサーバー１３は、送出接続管８１の上下動とともに紫外線ＬＥＤ７が上下動するように構成されているが、紫外線ＬＥＤ７のみが上下動するように構成されていてもよい。
【００５２】
送出接続管８１に設けられた送水部８１１は、上記第１実施形態における送出接続管９１に設けられた送水部９１１と同様の作用・機能を有している。送水部８１１は本体部５に設けられた配管５６１に接続されている。また、送出接続管８１に設けられた流通部８１２は、上記第１実施形態における送出接続管９１に設けられた流通部９１２と同様の作用・機能を有している。流通部８１２は本体部５に設けられた配管５３１に接続されている。
【００５３】
以上説明したように、本実施形態によるウォーターサーバー１３は、送出接続管８１の構成を除いて、上記第１実施形態によるウォーターサーバー１１と同様の構成を有しているため、ウォーターサーバー１１と同様の効果が得られる。さらに、ウォーターサーバー１３は、紫外線ＬＥＤ７を最適な場所に配置できるので、ボトル３の貯留空間３１への紫外線の照射効率をより向上させることができる。
【００５４】
〔第４実施形態〕
本発明の第４実施形態によるウォーターサーバーについて図４を用いて説明する。本実施形態によるウォーターサーバー１４は、紫外線ＬＥＤ７がボトル３の外表面の側に配置されている点に特徴を有している。
【００５５】
図４に示すように、ウォーターサーバー１４は、ボトル３の外表面の側、より具体的にはボトル３の外表面に配置された紫外線ＬＥＤ７を備えている。紫外線ＬＥＤ７は、ボトル３の底面（すなわちボトル３を本体部５に設置した場合に上側になる面）に配置されている。紫外線ＬＥＤ７は、出射部７１をこの底面側に向けて配置されている。紫外線ＬＥＤ７は、ボトル３の貯留空間３１に貯留された飲料水２よりも貯留空間３１に形成された空気層４の近くに配置されている。
【００５６】
ウォーターサーバー１４は、ボトル３を介して貯留空間３１に紫外線を照射する。このため、ボトル３は、紫外線を透過することができる素材で形成される必要がある。また、ボトル３の形成素材は、紫外線の透過性が高いほど望ましい。また、ボトル３は、紫外線ＬＥＤ７が出射する紫外線が透過する領域（本例では、ボトル３の底面の全部または一部）のみが紫外線を透過する素材で形成されていてもよい。これにより、ボトル３は、貯留空間３１に入射された紫外線をボトル３の外部に漏れにくくできる。これによって、不用意な紫外線がユーザー側に漏れることを防げる。
【００５７】
紫外線ＬＥＤ７は、電源５４から電力供給されるのではなく、例えば電池等の移動可能な電源から電力供給されるように構成されていてもよい。これにより、ボトル３の移動に伴って電源ごと紫外線ＬＥＤ７を移動することができる。
【００５８】
以上説明したように、本実施形態によるウォーターサーバー１４は、紫外線ＬＥＤ７がボトル３の外表面に配置されていても、貯留空間３１に形成された空気層４や空気層４と飲料水２との界面近傍の飲料水２の表面部に紫外線を照射できるので、上記第１実施形態によるウォーターサーバー１１と同様の効果が得られる。
【００５９】
また、ウォーターサーバー１４は、飲料水２を介さずに紫外線ＬＥＤ７が出射する紫外線を空気層４に直接照射できる。出射部７１から空気層４までの距離は短い。このため、紫外線ＬＥＤ７が出射する紫外線の強度を小さくできる。これにより、紫外線ＬＥＤ７の長寿命化を図ることができる。
【００６０】
〔第５実施形態〕
本発明の第５実施形態によるウォーターサーバーについて図５を用いて説明する。本実施形態によるウォーターサーバー１５は、本体部５がボトル３の外表面の側に紫外線ＬＥＤ７を配置させる配置部材５８を備えている点に特徴を有している。
【００６１】
図５に示すように、ウォーターサーバー１５に備えられた本体部５は、ボトル３の外表面の側に紫外線ＬＥＤ７を配置させる配置部材５８を有している。配置部材５８は、本体部５の上部から本体部５の一側面に沿って延在する側部５８ａと、側部５８ａの端部から本体部５の上側に延在し紫外線ＬＥＤ７を支持する支持部５８ｂとを有している。配置部材５８は、支柱又は壁状に形成されている。
【００６２】
支持部５８ｂは、本体部５の一側面からこの一側面に対向する対向側面に向かう方向（図５中の左側に示すｘ方向）、及び対向側面から一側面に向かう方向（図５中の左側に示す−ｘ方向）に移動できるように構成されてもよい。また、側部５８ａは、上下方向（図５中の左側に示す＋ｚ方向及び−ｚ方向）に移動できるように構成されてもよい。さらに、配置部材５８は、一側面及び対向側面の間で対向する一対の側面の一方から他方に向かう方向（図５中の左側に示す＋ｙ方向）、及び他方から一方に向かう方向（図５中の左側に示す−ｙ方向）に移動できるように構成されてもよい。また、配置部材５８が支柱形状を有する場合には、配置部材５８は、側部５８ａを回転軸として回転できるように構成されてもよい。
【００６３】
紫外線ＬＥＤ７及び紫外線ＬＥＤ７に電力を供給する電源（不図示）は、支持部５８ｂに固定されている。このため、紫外線ＬＥＤ７及びこの電源は、配置部材５８の移動とともに本体部５に設置されたボトル３に対する相対的な配置位置を変更できる。このため、ウォーターサーバー１５は、ボトル３を着脱する場合には、支持部５８ｂとともに紫外線ＬＥＤ７を本体部５の上方から退避させることができる。これにより、ボトル３の着脱作業を容易に行うことができる。また、ウォーターサーバー１５は、ボトル３の上方の所望の位置からボトル３の貯留空間３１に形成された空気層４及び空気層４と飲料水２との界面近傍に位置する飲料水２の表面部に紫外線ＬＥＤ７が出射する紫外線を照射できる。
【００６４】
図５に示すように、ウォーターサーバー１５は、紫外線を透過しない材料で形成された紫外線遮蔽板５９を有している。図５では理解を容易にするため、紫外線遮蔽板５９は、配置部材５８に対向して配置されているように図示されているが実際には、ボトル３の周囲であって配置部材５８が配置されていない領域に設けられている。これにより、ウォーターサーバー１５は、紫外線ＬＥＤ７が出射する紫外線がウォーターサーバー１５を利用する人間の側へ漏れてしまうのを防止できる。また、壁状の配置部材５８を紫外線を透過しない材料で形成することにより、ウォーターサーバー１５は、紫外線ＬＥＤ７が出射する紫外線の遮蔽効果をより向上させることができる。なお、ウォーターサーバー１５は、紫外線遮蔽板５９を有していなくてもよい。
【００６５】
以上説明したように、本実施形態によるウォーターサーバー１５は、紫外線ＬＥＤ７がボトル３の外表面の側に配置されていても、貯留空間３１に形成された空気層４や空気層４と飲料水２との界面近傍に位置する飲料水２の表面部に紫外線を照射できるので、上記第１実施形態によるウォーターサーバー１１と同様の効果が得られる。
【００６６】
また、ウォーターサーバー１５は、飲料水２を介さずに紫外線ＬＥＤ７が出射する紫外線を空気層４に直接照射できるので、上記第４実施形態によるウォーターサーバー１４と同様の効果が得られる。
【００６７】
〔第６実施形態〕
本発明の第６実施形態によるウォーターサーバーについて図６を用いて説明する。本実施形態によるウォーターサーバー１６は、ボトル３の外表面の側に配置された紫外線ＬＥＤ７に本体部５に設けられた電源５４から電力供給する点に特徴を有している。
【００６８】
図６に示すように、本実施形態によるウォーターサーバー１６は、ボトル３の底面に配置された紫外線ＬＥＤ７を備えている。ウォーターサーバー１６は、上記第４実施形態によるウォーターサーバー１４と異なり、紫外線ＬＥＤ７用の電源をボトル３側に有していない。配置部材５８には、本体部５に設けられた電源５４から紫外線ＬＥＤ７に電力を供給するためのケーブル５４２と、ケーブル５４２の端部が接続されたコネクタ（不図示）とが設けられている。紫外線ＬＥＤ７には、このコネクタに接続可能なコネクタ（不図示）とケーブル７２とが設けられている。これにより、ウォーターサーバー１６は、本体部５に対して紫外線ＬＥＤ７を着脱可能に備えつつ、紫外線ＬＥＤ７に電源５４から電力を供給することができる。その結果、ウォーターサーバー１６は、ボトル３側に紫外線ＬＥＤ７用の電源を準備する必要がなくなる。
【００６９】
以上説明したように、本実施形態によるウォーターサーバー１６は、ボトル３の外表面に配置された紫外線ＬＥＤ７に本体部５に設けられた電源５４から電力供給することができるので、上記第４実施形態によるウォーターサーバー１４と同様の効果が得られる。
【００７０】
本発明の第１実施形態から第６実施形態によるウォーターサーバーに適用される制御系について図７を用いて説明する。
【００７１】
図７に示すように、上記第１から第６実施形態によるウォーターサーバー１１，１２，１３，１４，１５，１６（以下、ウォーターサーバー１１，１２，１３，１４，１５，１６を「ウォーターサーバー１１〜１６」と略記する）は、飲料水取出センサ６１、ボトル設置センサ６２及びその他センサ６３を有している。飲料水取出センサ６１は、冷水取水口５１ｄ及び温水取水口５２ｄから飲料水が取水されたことを検出し、検出信号を制御部５５に送信するようになっている。ボトル設置センサ６２は、ボトル３が本体部５に設置されたことを検出し、検出信号を制御部５５に送信するようになっている。ウォーターサーバー１１〜１６は、その他センサ６３として、例えば空気導入口の開放検出センサを有している。この開放検出センサは、空気導入口５３が開放したこと、又は空気導入口５３から空気が流入したことを検出し、検出信号を制御部５５に送信するようになっている。また、ウォーターサーバー１１〜１６は、その他センサ６３として、例えば紫外線ＬＥＤ７から出射される紫外線の光量を検出する光量検出センサを有している。この光量検出センサは、紫外線ＬＥＤ７から出射される紫外線の光量を監視し、検出した光量に基づく検出信号を制御部５５に送信するようになっている。なお、ウォーターサーバー１１〜１６は、その他センサ６３として開放検出センサや光量検出センサ以外のセンサを有していてもよいし、開放検出センサ及び光量監視センサとともに他のセンサを有していてもよい。
【００７２】
ウォーターサーバー１１〜１６は、入力装置１００を有している。入力装置１００は例えば、ウォーターサーバー１１〜１６を利用する一般利用者が飲料水を取得するために操作するスイッチやウォーターサーバー１１〜１６を点検する点検者が操作するスイッチ（例えば、強制的に紫外線ＬＥＤ７を発光させる強制スイッチ）などを有している。
【００７３】
また、ウォーターサーバー１１〜１６は、制御部５５からの指令に基づいて動作するタイマ５０を有している。また、タイマ５０は、制御部５５からの指令に基づいて、例えば紫外線ＬＥＤ７を発光させる時刻をカウントするようになっている。
【００７４】
また、ウォーターサーバー１１〜１６の本体部５に設けられた電源５４は、電流源５４１を有している。電流源５４１は、紫外線ＬＥＤ７を駆動するための電流を生成し、生成した電流を紫外線ＬＥＤ７に供給するようになっている。電流源５４１は、制御部５５からの指令に基づいて、紫外線ＬＥＤ７への電流供給（すなわち電力供給）を開始したり電流供給を停止したりするようになっている。
【００７５】
紫外線ＬＥＤ７が常時点灯していなくても、ボトル３の貯留空間３１に内在する菌を十分に殺菌することができる。例えば、制御部５５は、冷飲料水２５１及び温飲料水２５２のいずれも取水されていない時間をタイマ５０にカウントさせておき、タイマ５０のカウント値が所定値となると、電流源５４１をオン状態とする。これにより、紫外線ＬＥＤ７に電流が流れるので、紫外線ＬＥＤ７が貯留空間３１に紫外線を照射する。このようにして、ウォーターサーバー１１〜１６は、飲料水が一定時間取水されていない場合でも、ボトル３の貯留空間３１に存在する菌数のレベルを十分低く下げることができる。
【００７６】
紫外線ＬＥＤ７をオフ状態（消灯状態）で待機すると、ボトル３の貯留空間３１に残存している少数の菌が増殖して菌数が所定値以上になる可能性がある。そこで、ウォーターサーバー１１〜１６は、菌数が所定値以上になる前に紫外線ＬＥＤ７をオン状態（点灯状態）とする。例えば紫外線ＬＥＤ７を一定時間オン状態とした場合の紫外線の殺菌力が１０のｎ乗分の１であるとする。一方、紫外線ＬＥＤ７をオン状態からオフ状態に切り替えた直後の貯留空間３１に残留する残留菌からの増殖が１０のｍ乗の大きさであるとする。この場合、制御部５５は、紫外線ＬＥＤ７をオン状態とする時間及びオフ状態とする時間を調整して、ｎ＞ｍという条件にすることにより、初期の菌数以上に菌が増殖することを防止できる。
【００７７】
紫外線の照射時間と殺菌力に関するｎの値との関係式、及び紫外線を照射していない時間と菌の増殖に関するｍの値との関係式を実験などで求めておき、これらの関係式を制御部５５の記憶領域（不図示）に記憶しておく。制御部５５は、これらの関係式及びタイマ５０のカウント値に基づいて、貯留空間３１に残留する残留菌の数が所定値以上になる前に紫外線ＬＥＤ７を発光させることができる。その結果、ウォーターサーバー１１〜１６は、ボトル３の貯留空間３１や本体部５の各構成要素での菌の増殖を防止することができる。
【００７８】
冷水取水口５１ｄや温水取水口５２ｄから取水されると、空気導入口５３から空気が導入されるため、新たな菌がボトル３の貯留空間３１に混入する可能性がある。そこで、制御部５５は、空気導入口５３を通して貯留空間３１に空気を導入した場合に紫外線ＬＥＤ７を発光させる。より具体的には、制御部５５は、飲料水取出センサ６１から検出信号が入力されると電流源５４１をオン状態として紫外線ＬＥＤ７を発光させる。また、制御部５５は、飲料水取出センサ６１から検出信号が入力されなくても、その他センサ６３の開放検出センサから検出信号が入力されると電流源５４１をオン状態として紫外線ＬＥＤ７を発光させる。このように、ウォーターサーバー１１〜１６は、冷飲料水２５１や温飲料水２５２を取得した直後に紫外線ＬＥＤ７を十分な時間点灯して初期（ボトル３を本体部５に設置した直後）の菌数以下まで殺菌する。その後、ウォーターサーバー１１〜１６は、紫外線ＬＥＤ７を上述のように間欠発光させることで、初期の菌数以上に菌が増殖しない状態を維持できる。
【００７９】
制御部５５は、ボトル３を本体部５に設置した場合に紫外線ＬＥＤ７を発光させる。より具体的には、制御部５５は、ボトル設置センサ６２から検出信号が入力されると電流源５４１をオン状態として紫外線ＬＥＤ７を発光させる。これにより、ボトル３の貯留空間３１に貯留された飲料水２が十分に殺菌されていなかった場合に、一定の殺菌効果が得られる。また、ボトル３の設置時に何らかの要因でボトル３の貯留空間３１に貯留された飲料水２に空気や菌が混入した事態などが生じた場合に、一定の殺菌効果が得られる。
【００８０】
制御部５５は、入力装置１００に設けられた紫外線ＬＥＤの点灯確認スイッチが操作されると、電流源５４１をオン状態として紫外線ＬＥＤ７を発光させるように構成されていてもよい。これにより、ウォーターサーバー１１〜１６の点検作業などを行っている最中に強制的にボトル３の貯留空間３１に内在する菌を殺菌できる。
【００８１】
制御部５５は、その他センサ６３に設けられ紫外線ＬＥＤ７が出射する紫外線の光量を監視する光量監視センサから入力される検出信号に連動させて、紫外線ＬＥＤ７をオン状態にする時間及びオフ状態にする時間を変更してもよい。例えば、制御部５５は、紫外線の光量が減少したことを示す検出信号が入力された場合には、紫外線ＬＥＤ７をオン状態にする時間が長くなりオフ状態になる時間が短くなるように紫外線ＬＥＤ７を制御する。一方、制御部５５は、紫外線の光量が増加したことを示す検出信号が入力された場合には、紫外線ＬＥＤ７をオン状態にする時間が短くなりオフ状態になる時間が長くなるように紫外線ＬＥＤ７を制御する。また、光量監視センサからの検出信号を使うことで、紫外線ＬＥＤ７の発光効率の経時的劣化に応じて電流量を相応に増やすことで発光量を補ったりしてもよい。これにより、ウォーターサーバー１１〜１６は、効率的にかつ効果的にボトル３の貯留空間３１に内在する菌を殺菌できる。
【００８２】
本発明は、上記実施形態に限られず種々の変形が可能である。
例えば、本体部５は、バッファ貯留部５６を有さずに、ボトル３からの飲料水２を冷水生成部５１や温水生成部５２に直接送水するようになっていてもよい。また、本体部５は、送水ポンプ５７を有していなくてもよい。
【００８３】
ボトル３は、貯留空間３１に突出して設けられ紫外線ＬＥＤ７を配置するＬＥＤ配置部を有していてもよい。
【符号の説明】
【００８４】
２  飲料水
３  ボトル
４  空気層
５  本体部
７，７ａ，７ｂ  紫外線発光ダイオード（紫外線ＬＥＤ）
８，９  接続部
１１，１２，１３，１４，１５，１６  ウォーターサーバー
３１  貯留空間
５０  タイマ
５１  冷水生成部
５１ａ  冷水貯蔵部
５１ｂ  冷却装置
５１ｃ，５２ｃ，５３１，５６１，５６２，５６３  配管
５１ｄ  冷水取水口
５２  温水生成部
５２ａ  温水貯蔵部
５２ｂ  加熱装置
５２ｄ  温水取水口
５３  空気導入口
５４  電源
５５  制御部
５６  バッファ貯留部
５７  送水ポンプ
５８  配置部材
５８ａ  側部
５８ｂ  支持部
５９  紫外線遮蔽板
６１  飲料水取出センサ
６２  ボトル設置センサ
６３  その他センサ
７１，７１ａ，７１ｂ  出射部
７２，５４２  ケーブル
８１，９１  送出接続管
１００  入力装置
２５１  冷飲料水
２５２  温飲料水
２５６  貯留飲料水
５４１  電流源
８１１，９１１  送水部
８１２，９１２  流通部
【図１】
2017210256.tif 000003
【図２】
2017210256.tif 000004
【図３】
2017210256.tif 000005
【図４】
2017210256.tif 000006
【図５】
2017210256.tif 000007
【図６】
2017210256.tif 000008
【図７】
2017210256.tif 000009